(57)【要約】【課題】汎用性を有したまま実装する部品点数を削減し、実装コストを低減可能として放電灯点灯装置を提供することにある。【解決手段】制御回路部８は、制御動作に必要な諸元設定情報をマイコン８１で得ることで汎用性を持たせ、且つ、高耐圧ＩＣからなるＩＣ８０とインバータ駆動回路４と同一パッケージＰに組み込むことで、部品点数を削減している。【選択図】図１
2004342323.tif 000002
【特許請求の範囲】
【請求項１】
放電灯に高圧パルスを印加して放電灯を始動させるイグナイタ回路と、放電灯に低周波電力を供給するインバータと、上記インバータを駆動するためのインバータ駆動回路と、電源電圧を可変し、上記放電灯に供給する電圧／電流を制御するＤＣ／ＤＣコンバータと、上記放電灯に流れる電流を検出するためのランプ電流検出部と、上記放電灯に印加される電圧を検出するためのランプ電圧検出部と、上記ＤＣ／ＤＣコンバータの出力電力の制御し、上記インバータの動作を制御する制御回路部と、上記制御回路部に電源を供給する制御電源部とを具備し、上記制御回路部を、ＤＣ／ＤＣコンバータやインバータの制御のための諸元設定情報を生成するマイクロコンピュータと、少なくとも上記諸元設定情報に基づいてＤＣ／ＤＣコンバータやインバータ駆動回路に動作信号を生成するＩＣとで構成し、該ＩＣを数十Ｖ以上の耐圧性能を持つ高耐圧ＩＣにより形成していることを特徴とする放電灯点灯装置。
【請求項２】
上記インバータ駆動回路の回路素子と上記ＩＣとを一つのパッケージに格納していることを特徴とする請求項１記載の放電灯点灯装置。
【請求項３】
上記インバータを構成するスイッチング素子と上記ＩＣとを一つのパッケージに格納していることを特徴とする請求項１又は２記載の記載の放電灯点灯装置。
【請求項４】
上記ランプ電圧検出部の回路素子と上記ＩＣを一つのパッケージ若しくは同一チップ上に格納していることを特徴とする請求項１乃至３の何れか記載の放電灯点灯装置。
【請求項５】
上記ＤＣ／ＤＣコンバータに少なくとも一つのスイッチング素子と該スイッチング素子を駆動するためのドライブ回路を具備し、上記ＤＣ／ＤＣコンバータのスイッチング素子と上記ドライブ回路と上記ＩＣとを一つのパッケージに格納していることを特徴とする請求項１乃至４の何れか記載の放電灯点灯装置。
【請求項６】
上記制御電源部の回路素子と上記ＩＣとを一つのパッケージに格納していることを特徴とする請求項１乃至５の何れか記載の放電灯点灯装置。
【発明の詳細な説明】
【０００１】
【発明の属する技術分野】
本発明は、放電灯点灯装置に関するものである。
【０００２】
【従来の技術】
従来の放電灯点灯装置としては、図６に示すように放電灯に高圧パルスを印加して放電灯１を始動させるイグナイタ回路２と、放電灯１に低周波電力をインダクタＬを介して供給するインバータ３と、上記インバータ３のスイッチング素子Ｑ１〜Ｑ４を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、上記制御回路部８に電源を供給する制御電源部９と、上記直流電源１０とで構成されたものが提供されている（同様な放電灯点灯装置としては特許文献１に記載されているようなものある）。尚図中Ｑ０はＤＣ／ＤＣコンバータ５のスイッチング素子、Ｒ５、Ｒ６はゲート抵抗、Ｔｒはフライバックトランス、Ｄ１は整流用のダイオードである。
【０００３】
ここで制御回路部８は、アナログＩＣやデジタルＩＣなどのＩＣや、マイクロコンピュータ（以下マイコンという）を用いて構成されている。ここで使用されるＩＣやマイコンは５〜２０Ｖ程度の耐圧性能である。
【０００４】
一方、インバータ駆動回路４を図７に示すように数十Ｖ以上の耐圧性能を有する専用ＩＣからなる制御回路部８と同一チップ上若しくは同一パッケージ上に収めて、一つの回路構成部品として構成し、この一つの回路構成部品で放電灯の点灯を制御するものも開発されてきた。
【０００５】
【特許文献１】
特開平２００３−０３１３９４号公報
【０００６】
【発明が解決しようとする課題】
ところで、上述のような放電灯点灯装置は、主に車載用前照灯やプロジェクター用として使用されることが多い。その場合に、放電灯点灯装置は、ヘッドランプメーカや自動車メーカ、又はプロジェクターメーカの要求に対応したものである必要がある。
【０００７】
しかし、個々に開発を進めることは、開発コストが嵩むための、基本の回路構成を決めて、その回路の変更で対応していく必要がある。
【０００８】
そこで、耐圧性能をあまり持たない（２０Ｖ程度）ＩＣやマイコンからなる制御回路部を用いて制御する場合、常に必要となるインバータやインバータ駆動回路等を個別に設ける必要があり、実装する部品点数の削減や実装コストの削減に対して課題があった。
【０００９】
一方、数十Ｖ以上の耐圧性能を有した制御用ＩＣで制御した場合、汎用性がなく、汎用性を持たそうとした場合に、ＩＣの外部に変更可能な部品を多く設ける必要が発生し、逆に部品点数が増加し、実装する部品点数の削減に繋がらないことが課題であった。
【００１０】
本発明は、上述の点に鑑みて為されたもので、その目的とするところは汎用性を有したまま実装する部品点数を削減し、実装コストを低減可能として放電灯点灯装置を提供することにある。
【００１１】
【課題を解決するための手段】
上述の目的を達成するために、請求項１の発明では、放電灯に高圧パルスを印加して放電灯を始動させるイグナイタ回路と、放電灯に低周波電力を供給するインバータと、上記インバータを駆動するためのインバータ駆動回路と、電源電圧を可変し、上記放電灯に供給する電圧／電流を制御するＤＣ／ＤＣコンバータと、上記放電灯に流れる電流を検出するためのランプ電流検出部と、上記放電灯に印加される電圧を検出するためのランプ電圧検出部と、上記ＤＣ／ＤＣコンバータの出力電力の制御し、上記インバータの動作を制御する制御回路部と、上記制御回路部に電源を供給する制御電源部とを具備し、上記制御回路部を、ＤＣ／ＤＣコンバータやインバータの制御のための諸元設定情報を生成するマイクロコンピュータと、少なくとも上記諸元設定情報に基づいてＤＣ／ＤＣコンバータやインバータ駆動回路に動作信号を生成するＩＣとで構成し、該ＩＣを数十Ｖ以上の耐圧性能を持つ高耐圧ＩＣにより形成していることを特徴とする。
【００１２】
この請求項１の発明によれば、マイクロコンピュータによって制御回路部に汎用性を持たせつつ、ＩＣに耐圧性能が必要な回路素子を組み込めることになり、部品点数を削減することが可能となる。
【００１３】
請求項２の発明では、請求項１の発明において、上記インバータ駆動回路の回路素子と上記ＩＣとを一つのパッケージに格納していることを特徴とするものである。
【００１４】
この請求項２の発明によれば、インバータ駆動回路と制御回路部のＩＣとを一つの部品として扱えることにより、部品点数を削減することができる。
【００１５】
請求項３の発明では、請求項１又は２の発明において、上記インバータを構成するスイッチング素子と上記ＩＣとを一つのパッケージに格納していることを特徴とするものである。
【００１６】
この請求項３の発明によれば、インバータのスイッチング素子と制御回路部のＩＣとが一つの部品として扱えることになり、部品点数を削減できる。
【００１７】
請求項４の発明では、請求項１乃至３の何れかの発明において、上記ランプ電圧検出部の回路素子と上記ＩＣを一つのパッケージ若しくは同一チップ上に格納していることを特徴とするものである。
【００１８】
この請求項４の発明によれば、ランプ電圧検出部の回路素子と制御回路部のＩＣとが一つの部品として扱えることになり、部品点数を削減できる。
【００１９】
請求項５の発明では、請求項１乃至４の何れかの発明において、上記ＤＣ／ＤＣコンバータに少なくとも一つのスイッチング素子と該スイッチング素子を駆動するためのドライブ回路を具備し、上記ＤＣ／ＤＣコンバータのスイッチング素子と上記ドライブ回路と上記ＩＣとを一つのパッケージに格納していることを特徴とするものである。
【００２０】
この請求項５の発明によれば、ＤＣ／ＤＣコンバータのスイッチング素子及びドライブ回路と制御回路部のＩＣとが一つの部品として扱えることになり、部品点数を削減できる。
【００２１】
請求項６の発明では、請求項１乃至５の何れかの発明において、上記制御電源部の回路素子と上記ＩＣとを一つのパッケージに格納していることを特徴とするものである。
【００２２】
この請求項６の発明によれば、制御電源部の回路素子と制御回路部のＩＣとを一つの部品として扱えることになり、部品点数を削減できる。
【００２３】
【発明の実施の形態】
以下本発明を実施形態により説明する。
（実施形態１）
図１は本実施形態の構成例を示す。放電灯１に高圧パルスを印加して放電灯１を始動させるイグナイタ回路２と、放電灯１に低周波電力を供給するインバータ３と、該インバータ３のスイッチング素子Ｑ１〜Ｑ４を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、該制御回路部８に電源を供給する制御電源部９と、上記直流電源１０とで構成されている。
【００２４】
ここでインバータ３は、ブリッジ接続したＭＯＳＦＥＴからなるスイッチング素子Ｑ１〜Ｑ４により構成され、スイッチング素子Ｑ１，Ｑ２の接続点と、スイッチング素子Ｑ３、Ｑ４の接続点とにインダクタＬとイグナイタ回路２とを介して放電灯１を接続し、スイッチング素子Ｑ１，Ｑ４と、Ｑ３，Ｑ２とが夫々交互に低周波数でオンオフ駆動されることで、直流電源１０からの直流電圧を交番する矩形波電圧に変換し、放電灯１にインダクタＬ及びイグナイタ回路２を介して印加するようになっている。
【００２５】
ＤＣ／ＤＣコンバータ５は、フライバックトランスＴｒと、このフライバックトランスＴｒの１次巻線を介して直流電源１０に接続されたＭＯＳＦＥＴからなるスイッチング素子Ｑ０と、スイッチング素子Ｑ０の後述するドライバ回路（図示せず）と、ゲート抵抗Ｒ５，Ｒ６等で構成され、スイッチング素子Ｑ０をスイッチングさせることで、フライバックトランスＴｒの２次巻線に交流電圧を発生させ、その交流電圧をダイオードＤ１で整流することで、直流電源１０の電圧を可変した直流電圧をインバータ３側へ与え、インバータ３から放電灯１へ供給する電圧／電流を制御するようになっている。
【００２６】
一方、制御回路部８は、ランプ電流検出部６を構成する抵抗Ｒ１の両端の電圧、つまりランプ電流に対応した検出出力と、ランプ電圧検出部７を構成する抵抗分圧回路の分圧出力、つまり放電灯１に印加される電圧に対応する検出出力、皿員はフライバックトランスＴｒの１次巻線とスイッチング素子Ｑ０との接続点の電圧を取り込む検出入力部（図示せず）や、ＤＣ／ＤＣコンバータ５のドライブ回路を具備し、６００Ｖ以上の耐圧性能を有した高耐圧ＩＣにより構成されたＩＣ８０と、このＩＣ８０と同一パッケージＰ上に格納された上記インバータ３のスイッチング素子Ｑ１〜Ｑ４を駆動する上記インバータ駆動回路４と、マイクロコンピュータ（以下マイコンという）８１とで構成される。
【００２７】
マイコン８１は、ＩＣ８０が上記検出入力部の各入力電圧に基づいて所定条件でＤＣ／ＤＣコンバータ５のドライブ回路に動作信号を与える設定情報やインバータ駆動回路４に動作信号を与えるための、諸元設定情報をプログラムに基づいて生成するもので、制御回路部８に汎用性を持たせている。
【００２８】
而して上記の構成において、直流電源１０を投入したとすると、制御電源部９から制御回路部８に供給され、制御回路部８が動作を開始し、ＩＣ８０内のドライブ回路からＤＣ／ＤＣコンバータ５のスイッチング素子Ｑ０のゲートに駆動信号が、またインバータ駆動回路４からインバータ３のスイッチング素子Ｑ１〜Ｑ４のゲートに駆動信号が与えられて、動作を開始する。この駆動条件はマイコン８１から与えられる設定情報に基づく。
【００２９】
次にインバータ３から出力を受けてイグナイタ回路２は高圧パルスを発生させて、放電灯１の対の電極間に印加する、この高圧パルスによって放電灯１の電極間の絶縁が破壊され、放電灯１が点灯を開始する。
【００３０】
この放電灯１には、インバータ３のブリッジ接続したスイッチ素子Ｑ１〜Ｑ４の対向辺に位置する対のスイッチング素子Ｑ１，Ｑ４と、Ｑ３，Ｑ２とが交互にオンオフすることによってインバータ３から発生する矩形波電圧が印加される。そしてランプ電流検出部６やランプ電圧検出部７からの検出出力と、マイコン８１から与えられる設定情報に基づいてＩＣ８０はＤＣ／ＤＣコンバータ５のスイッチング素子Ｑ０のスイッチングをドライブ回路を通じて制御することで、その出力電力を制御し、インバータ３から放電灯１に供給される電圧／電流を制御する。以上の動作により放電灯１の安定点灯させるのである。
【００３１】
而して本実施形態では、制御回路部８に諸元設定情報を得るマイコン８１を設けることで汎用性を持たせ、且つ、高耐圧ＩＣからなるＩＣ７とインバータ駆動回路４とを同一パッケージＰに組み込むことで、部品点数を削減している。よって、汎用性を維持しながら、実装する部品点数を削減し、実装コストを低減することが可能となった。
（実施形態２）
図２は本実施形態の構成例を示しており、本実施形態は基本的には実施形態１と同様に、放電灯１に高圧パルスを印加して放電灯１を始動させるイグナイタ回路２と、放電灯１に低周波電力を供給するインバータ３と、該インバータ３のＩＧＢＴからなるスイッチング素子Ｑ１’〜Ｑ４’を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、該制御回路部８に電源を供給する制御電源部９と、上記直流電源１０とで構成されている。
【００３２】
ここでインバータ３は、ブリッジ接続したスイッチング素子Ｑ１’〜Ｑ４’がＩＧＢＴにより構成されている点で実施形態１の場合と相違する。
【００３３】
また実施形態１ではＩＣ８０とインバータ駆動回路４とを同一のパッケージＰに格納しているが、本実施形態では、ランプ電圧検出部７の回路素子である分圧抵抗Ｒ２、Ｒ３も上記パッケージＰに格納した点で実施形態１と相違する。尚この分圧抵抗Ｒ２、Ｒ３をＩＣ８０のチップ上に形成しても勿論良い。
【００３４】
尚その他の構成は実施形態１と同じであるので、同じ構成要素には同じ符号を付してその構成の説明を省略する。また回路動作も実施形態１と同じであるので動作説明も省略する。
【００３５】
而して本実施形態では、制御回路部８に諸元設定情報を得るマイコン８１を設けることで汎用性を持たせ、且つ、高耐圧ＩＣからなるＩＣ８０とインバータ駆動回路４とランプ電圧検出部７とを同一パッケージＰに組み込むことで、部品点数を削減している。よって、汎用性を維持しながら、実装する部品点数を削減し、実装コストを低減することが可能となった。
（実施形態３）
図３は本実施形態の構成例を示しており、本実施形態は基本的には実施形態１と同様に、放電灯１に高圧パルスを印加して放電灯１を始動させるイグナイタ回路２と、放電灯１に低周波電力を供給するインバータ３と、該インバータ３のＭＯＳＦＥＴからなるスイッチング素子Ｑ１〜Ｑ４を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、該制御回路部８に電源を供給する制御電源部９と、上記直流電源１０とで構成されている。
【００３６】
ここで本実施形態では、実施形態２と同様にランプ電圧検出部７の回路素子である分圧抵抗Ｒ２、Ｒ３を上記パッケージＰに格納するとともに、インバータ３のスイッチング素子Ｑ１〜Ｑ４を上記パッケージＰに格納してモジュール化を図っている点で実施形態１と相違する。分圧抵抗Ｒ２、Ｒ３はＩＣ８０のチップ上に形成しても良い。またＭＯＳＦＥＴのスイッチング素子Ｑ１〜Ｑ４に代えて、実施形態２で示したＩＧＢＴからなるスイッチング素子を用いても構わない。
【００３７】
その他の構成は実施形態１と同じであるので、同じ構成要素には同じ符号を付してその構成の説明を省略する。また回路動作も実施形態１と同じであるので動作説明も省略する。
【００３８】
而して本実施形態では、制御回路部８に諸元設定情報を得るマイコン８１を設けることで汎用性を持たせ、且つ、高耐圧ＩＣからなるＩＣ８０とインバータ駆動回路４とランプ電圧検出部７とを同一パッケージＰに組み込み、更にインバータ３のＭＯＳＦＥＴからなる４つのスイッチング素子Ｑ１〜Ｑ４を同時にパッケージＰに格納してモジュール化することで、部品点数の一層の削減化を図っている。よって、汎用性を維持しながら、実装する部品点数を削減し、実装コストを低減することが可能となった
（実施形態４）
図４は本実施形態の構成例を示しており、本実施形態は基本的には実施形態１と同様に、放電灯１に高圧パルスを印加して放電灯１を始動させるイグナイタ回路２と、放電灯１に低周波電力を供給するインバータ３と、該インバータ３のＭＯＳＦＥＴからなるスイッチング素子Ｑ１〜Ｑ４を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、該制御回路部８に電源を供給する制御電源部９と、上記直流電源１０とで構成されている。
【００３９】
ここで本実施形態では、実施形態２と同様にランプ電圧検出部７の回路素子である分圧抵抗Ｒ２、Ｒ３を上記パッケージＰに格納するとともに、同一パッケージＰにＤＣ／ＤＣコンバータ５を構成するＭＯＳＦＥＴからなるスイッチング素子Ｑ０とゲート抵抗Ｒ５及び抵抗Ｒ６とを格納してモジュール化した点で実施形態１と相違する。尚分圧抵抗Ｒ２、Ｒ３やゲート抵抗Ｒ５、Ｒ６をＩＣ８０のチップ上に形成しても勿論良い。またＭＯＳＦＥＴのスイッチング素子Ｑ１〜Ｑ４に代えて、実施形態２で示したＩＧＢＴからなるスイッチング素子を用いても構わない。
【００４０】
その他の構成は実施形態１と同じであるので、同じ構成要素には同じ符号を付してその構成の説明を省略する。また回路動作も実施形態１と同じであるので動作説明も省略する。
【００４１】
而して本実施形態では、制御回路部８に諸元設定情報を得るマイコン８１を設けることで汎用性を持たせ、且つ、高耐圧ＩＣからなるＩＣ８０とインバータ駆動回路４とランプ電圧検出部７とを同一パッケージＰに組み込み、更にＤＣ／ＤＣコンバータ５のＭＯＳＦＥＴからなるスイッチング素子Ｑ０、ゲート抵抗Ｒ５、Ｒ６を同時にパッケージＰに格納してモジュール化することで、部品点数の更なる削減化を図っている。よって、汎用性を維持しながら、実装する部品点数を削減し、実装コストを低減することが可能となった。
（実施形態５）
図５は本実施形態の構成例を示しており、本実施形態は基本的には実施形態１と同様に、放電灯１に高圧パルスを印加して放電灯１を始動させるイグナイタ回路２と、放電灯１に低周波電力を供給するインバータ３と、該インバータ３のＭＯＳＦＥＴからなるスイッチング素子Ｑ１〜Ｑ４を駆動するためのインバータ駆動回路４と、直流電源１０の電圧を可変し、放電灯１に供給する電圧／電流を制御するＤＣ／ＤＣコンバータ５と、放電灯１に流れる電流を抵抗Ｒ１で検出するランプ電流検出部６と、放電灯１に印加される電圧を抵抗Ｒ２〜Ｒ４からなる抵抗分圧回路で検出するランプ電圧検出部７と、ＤＣ／ＤＣコンバータ５の出力電力を制御し、インバータ３の動作を制御する制御回路部８と、該制御回路部８に電源を供給する制御電源部９と、上記直流電源１０とで構成されている。
【００４２】
ここで本実施形態では、実施形態４と同様にランプ電圧検出部７の回路素子である分圧抵抗Ｒ２、Ｒ３を上記パッケージＰに格納するとともに、同一パッケージＰにＤＣ／ＤＣコンバータ５を構成するＭＯＳＦＥＴからなるスイッチング素子Ｑ０とゲート抵抗Ｒ５及び抵抗Ｒ６とを格納し、更に制御電源部９の回路素子を格納してモジュール化を図っている点で実施形態１と相違する。
【００４３】
制御電源部９は、ダイオードＤ２、コンデンサＣ１、抵抗Ｒ７とトランジスタＱ５とツェナーダイオードＺＤ１と、コンデンサＣ２とからなり、ＤＣ／ＤＣコンバータ５のフライバックトランスＴｒの１次巻線ｎとスイッチング素子Ｑ０のドレインとの接続点の電圧をトランジスタＱ５のコレクタ部に入力し、シリーズレギュレータとして所定電圧に安定化している。ここでフライバックトランスＴｒ、スイッチング素子Ｑ０、ダイオードＤ１、コンデンサＣ１により昇圧チョッパを構成し、直流電源１０の電圧（例えば１２Ｖ）より昇圧されたコンデンサＣ１の電圧を制御電源部９の入力電圧とし、制御電源部９の安定化された出力電圧が、ＩＣ８０の電源電圧の１２Ｖとなるようにしている。
【００４４】
尚分圧抵抗Ｒ２，Ｒ３やゲート抵抗Ｒ５、Ｒ６をＩＣ８０のチップ上に形成しても勿論良い。ＭＯＳＦＥＴのスイッチング素子Ｑ１〜Ｑ４に代えて、実施形態２で示したＩＧＢＴからなるスイッチング素子を用いても構わない。
【００４５】
またその他の構成は実施形態１と同じであるので、同じ構成要素には同じ符号を付してその構成の説明を省略する。また回路動作も実施形態１と同じであるので動作説明も省略する。
【００４６】
而して本実施形態では、制御回路部８にマイコンを有していることから、汎用性を持たせることが可能で且つ、高耐圧ＩＣからなるＩＣ８０とインバータ駆動回路４とランプ電圧検出部７とを同一パッケージに組み込んでおり、更に、ＤＣ／ＤＣコンバータ５のＭＯＳＦＥＴからなるスイッチング素子Ｑ０とゲート抵抗Ｒ５、Ｒ６と制御電源部９を構成する抵抗Ｒ７、トランジスタＱ５と、ツェナーダイオードＺＤ１を同時にパッケージＰに格納してモジュール化することで、更なる部品点数の削減化を図っている。よって、汎用性を維持しながら、実装する部品点数を削減し、実装コストを低減することが可能となった。
【００４７】
尚本実施形態では、制御電源部９をトランジスタＱ５を用いたシリーズレギュレータで構成したが、汎用の三端子レギュレータ素子を用いても良い。
【００４８】
【発明の効果】
請求項１の発明は、マイクロコンピュータによって制御回路部に汎用性を持たせつつ、ＤＣ／ＤＣコンバータやインバータ駆動回路の動作信号を生成するＩＣに耐圧性能が必要な回路素子を組み込めることになり、部品点数を削減することが可能となる。
【００４９】
請求項２の発明は、インバータ駆動回路と制御回路部のＩＣとを一つの部品として扱えることにより、部品点数を削減することができる。
【００５０】
請求項３の発明は、インバータのスイッチング素子と制御回路部のＩＣとが一つの部品として扱えることになり、部品点数を削減できる。
【００５１】
請求項４の発明は、ランプ電圧検出部と制御回路部のＩＣとが一つの部品として扱えることになり、部品点数を削減できる。
【００５２】
請求項５の発明は、ＤＣ／ＤＣコンバータのスイッチング素子とドライブ回路と制御回路部のＩＣとが一つの部品として扱えることになり、部品点数を削減できる。
【００５３】
請求項６の発明は、制御電源部の回路素子と制御回路部のＩＣとを一つの部品として扱えることになり、部品点数を削減できる。
【図面の簡単な説明】
【図１】本発明の実施形態１の構成図である。
【図２】本発明の実施形態２の構成図である。
【図３】本発明の実施形態３の構成図である。
【図４】本発明の実施形態４の構成図である。
【図５】本発明の実施形態５の構成図である。
【図６】従来例の構成図である。
【図７】別の従来例の構成図である。
【符号の説明】
１  放電灯
２  イグナイタ回路
３  インバータ
４  インバータ駆動回路
５  ＤＣ／ＤＣコンバータ
６  ランプ電流検出部
７  ランプ電圧検出部
８  制御回路部
８０  ＩＣ
８１  マイコン
９  制御電源部
１０  直流電源
Ｐ  パッケージ
Ｑ０〜Ｑ４  スイッチング素子
Ｔｒ  フライバックトランス
Ｒ１〜Ｒ６  抵抗
Ｌ  インダクタ
Ｄ１  ダイオード
【図１】
2004342323.tif 000003
【図２】
2004342323.tif 000004
【図３】
2004342323.tif 000005
【図４】
2004342323.tif 000006
【図５】
2004342323.tif 000007
【図６】
2004342323.tif 000008
【図７】
2004342323.tif 000009